(57)【要約】【課題】採光性の低下を防止しつつ換気性能の高い天窓を装備する。【解決手段】農業用ハウス１は、上端で接合される合掌梁２１，２１を備え、合掌梁上端接合部と一体化されて上方に伸びる突き合わせ板２２の上部から外側に向かって伸びるブラケット部材２３に対して、上方から外嵌め可能な外嵌部材３１を回動可能に取り付けると共に、この外嵌部材３１に対して天窓の上桟３３を接合し、合掌梁上面に、天窓の下桟３５を受け止める天窓受け部材２５取り付ける。天窓の枠体を構成する桟３３〜３５及び天窓受け部材２５を長方形断面の鋼製角パイプの長辺が横倒しとなる様に用いる。天窓を備える屋根面を構成するアーチパイプの上端を天窓受け部材２５までで留める。【選択図】  図３
2020137435.tif 000002
【特許請求の範囲】
【請求項１】
屋根の上部に換気用の天窓を備えるハウスであって、さらに、以下の構成をも備えることを特徴とする農業用ハウス。
（１Ａ）当該ハウスの長さ方向に所定間隔をあけて設置される複数対の合掌梁を備え、少なくとも前記天窓を取り付ける範囲において、対となる合掌梁の上端接合部分から垂直上方に伸びる様に板状部材を備えさせると共に、該板状部材の表面から外側に向かって突出する屋根側接合金具を備えさせたこと。
（１Ｂ）前記天窓を構成する枠体の上桟に対し、窓面に沿って外側に突出する窓側接合金具を、前記複数対の合掌梁の間隔に対応する間隔で備えさせ、各合掌梁の対毎に、前記窓側接合金具と前記屋根側接合金具とを同一軸線上で水平方向に刺し通した状態となる様に連結したこと。
（１Ｃ）前記合掌梁の上面に、前記天窓を閉じた位置で前記枠体を構成する下桟の下面と当接する様に、当該天窓の全長にわたって前記下桟と平行に伸びる天窓受け部材を取り付けたこと。
【請求項２】
さらに、以下の構成をも備えることを特徴とする請求項１に記載の農業用ハウス。
（２）前記天窓の枠体を構成する各桟及び前記天窓受け部材は、長方形断面の鋼製角パイプの長辺が横倒しとなる様に組み付けた構成とされていること。
【請求項３】
さらに、以下の構成をも備えることを特徴とする請求項１又は２に記載の農業用ハウス。
（３）前記天窓を備える屋根面を構成するアーチパイプの上端を前記天窓受け部材までで留めたこと。
【請求項４】
さらに、以下の構成をも備えることを特徴とする請求項１〜３のいずれかに記載の農業用ハウス。
（４）前記板状部材は、前記対となる合掌梁の上端同士の間に挟み込まれる様に取り付けられ、前記屋根側接合金具と前記窓側接合金具は、一方が断面コ字状を呈し、他方が該コ字状の開放側から挿入可能な厚さの平板状を呈する金具として構成されていること。
【請求項５】
さらに、以下の構成をも備えることを特徴とする請求項１〜４のいずれかに記載の農業用ハウス。
（５）前記板状部材は、下向きコ字状断面を呈し、前記合掌梁の接合部の屋根傾斜に対応するハの字状に組み合わされる合掌梁接合金具同士の間に挟み込まれる様に取り付けられ、前記屋根側接合金具は、コの字の開放側を外向きとする様に前記板状部材の表面に取り付けられた断面コ字状の金具で構成され、前記窓側接合金具は、前記屋根側接合金具のコの字の中に挿入可能な厚さを有し、前記天窓の枠体を構成する上桟の下面に取り付けられた平板状の金具で構成されていること。
【発明の詳細な説明】
【技術分野】
【０００１】
本発明は、農業用ハウスに係り、特に、天窓を備える農業用ハウスに関するものである。
【背景技術】
【０００２】
従来の農業用ハウスでは、棟木にヒンジ金具で結合した天窓を開閉する構造が採用されている（特許文献１〜３）。
【０００３】
これら従来技術によれば、天窓を開くことによってハウス内の換気を行うことができる。
【先行技術文献】
【特許文献】
【０００４】
【特許文献１】特開平９−１２１６９２号公報（図６）
【特許文献２】特開２００２−２９１３４８号公報（図４）
【特許文献３】特開２００４−１８７５７８号公報（図２）
【発明の概要】
【発明が解決しようとする課題】
【０００５】
しかしながら、従来技術では専用のヒンジ金具を必要とし、天窓を大きくすると、「ヒンジ金具の損傷」、「骨組み増加による採光性の低下」等の問題を生じるおそれがある。
【０００６】
そこで、本発明は、農業用ハウスにおいて、採光性の低下を防止しつつ換気性能の高い天窓を装備することを目的とする。
【課題を解決するための手段】
【０００７】
上記目的を達成するためになされた本発明の農業用ハウスは、屋根の上部に換気用の天窓を備えるハウスであって、さらに、以下の構成をも備えることを特徴とする。
（１Ａ）当該ハウスの長さ方向に所定間隔をあけて設置される複数対の合掌梁を備え、少なくとも前記天窓を取り付ける範囲において、対となる合掌梁の上端接合部分から垂直上方に伸びる様に板状部材を備えさせると共に、該板状部材の表面から外側に向かって突出する屋根側接合金具を備えさせたこと。
（１Ｂ）前記天窓を構成する枠体の上桟に対し、窓面に沿って外側に突出する窓側接合金具を、前記複数対の合掌梁の間隔に対応する間隔で備えさせ、各合掌梁の対毎に、前記窓側接合金具と前記屋根側接合金具とを同一軸線上で水平方向に刺し通した状態となる様に連結したこと。
（１Ｃ）前記合掌梁の上面に、前記天窓を閉じた位置で前記枠体を構成する下桟の下面と当接する様に、当該天窓の全長にわたって前記下桟と平行に伸びる天窓受け部材を取り付けたこと。
【０００８】
本発明の農業用ハウスによれば、天窓は、ハウスの長さ方向に所定間隔をあけて設置される複数対の合掌梁の上端接合部分から垂直上方に伸びる板状部材に対して連結される。このとき、板状部材と天窓とは、窓側接合金具と屋根側接合金具とを同一軸線上で水平方向に差し通す様に連結されるから、この軸線を回動中心として回動することができる。この結果、棟木や特殊なヒンジ金具を用いることなく開閉可能となる。また、天窓は、閉じたとき、合掌梁の上面に取り付けた天窓受け部材によって下桟の下面を受けられるから、枠体を頑丈な構造として重量が大きくなっても支障を来さない。この結果、天窓を大型化することが可能となる。また、屋根の開口部の枠強度が高まることにより、当該開口部までアーチパイプ等を伸ばさなくてもよくなり、光を遮る部材を減らすことができる。この結果、採光性が高まる。また、回動支持部が強固となることで、天窓の開度を大きくすることができ、窓開口の大型化と共に換気性能を高めることができる。
【０００９】
ここで、本発明の農業用ハウスは、さらに、以下の構成をも備えることができる。
（２）前記天窓の枠体を構成する各桟及び前記天窓受け部材は、長方形断面の鋼製角パイプの長辺が横倒しとなる様に組み付けた構成とされていること。
【００１０】
本発明の農業用ハウスによれば、回動支持部が強固となる結果、天窓の枠体を構成する桟を鋼製角パイプとすることも可能となる。このとき、上述の様に長方形断面の鋼製角パイプの長辺が横倒しとなる様に組み付けることで、枠体自体を変形し難くする。この結果、天窓のさらなる大型化が可能となり、採光性及び換気性能のさらなる向上を可能にする。
【００１１】
これら本発明の農業用ハウスは、さらに、以下の構成をも備えることができる。
（３）前記天窓を備える屋根面を構成するアーチパイプの上端を前記天窓受け部材までで留めたこと。
【００１２】
かかる構成を採用することによって開口部において光を遮る部材を減らし、採光性のさらなる向上を達成することができる。
【００１３】
これら本発明の農業用ハウスは、さらに、以下の構成をも備えることができる。
（４）前記板状部材は、前記対となる合掌梁の上端同士の間に挟み込まれる様に取り付けられ、前記屋根側接合金具と前記窓側接合金具は、一方が断面コ字状を呈し、他方が該コ字状の開放側から挿入可能な厚さの平板状を呈する金具として構成されていること。
より具体的には、以下の構成とすることができる。
（５）前記板状部材は、下向きコ字状断面を呈し、前記合掌梁の接合部の屋根傾斜に対応するハの字状に組み合わされる合掌梁接合金具同士の間に挟み込まれる様に取り付けられ、前記屋根側接合金具は、コの字の開放側を外向きとする様に前記板状部材の表面に取り付けられた断面コ字状の金具で構成され、前記窓側接合金具は、前記屋根側接合金具のコの字の中に挿入可能な厚さを有し、前記天窓の枠体を構成する上桟の下面に取り付けられた平板状の金具で構成されていること。
【００１４】
かかる構成を採用すれば、天窓と板状部材との連結を容易にすることができ、特に、（５）の構成をも採用する場合、合掌梁の上端の接合や屋根側接合金具の軸合わせが容易になり、天窓の開き方向への回動角度をより大きくすることができる。
【発明の効果】
【００１５】
本発明によれば、農業用ハウスにおいて、採光性の低下を防止しつつ換気性能の高い天窓を装備することができる。
【図面の簡単な説明】
【００１６】
【図１】実施例１の農業用ハウスの全体構成を示し、平面図、５通り背面図、３通り正面図、２通り正面図、１通り正面図、Ａ通り右側面図、Ｃ通り左側面図、Ｄ通り左側面図である。
【図２】実施例１の農業用ハウスの要部を示し、（Ａ）は４通り断面図、（Ｂ）は天窓取付部を西下方から見た斜視図、（Ｃ）は天窓取付部を（Ｂ）と同じ部分を東下方から見た斜視図である。
【図３】実施例１の農業用ハウスの天窓取付部を示し、（Ａ）は天窓を閉じた状態の断面図、（Ｂ）は天窓を最大開度に開いた状態の断面図である。
【図４】実施例１の農業用ハウスの天窓とその支持部を示し、（Ａ）は断面図、（Ｂ）は平面図である。
【図５】実施例１の農業用ハウスにおける谷樋を示し、（Ａ）は斜視図、（Ｂ）は断面図、（Ｃ）は要部の拡大断面図である。
【図６】実施例１の農業用ハウスの施工例を示し、（Ａ）は天窓部分を下方から見た斜視図、（Ｂ）は谷樋部分を妻側から見た斜視図である。
【図７】実施例２の農業用ハウスの天窓取付部を示し、（Ａ）は合掌梁接合金具の斜視図、（Ｂ）は合掌梁接合金具、合掌梁、及び天窓の取り付け関係を示す正面図である。
【発明を実施するための形態】
【００１７】
以下、本発明を実施するための形態を、図面に示す具体的な実施例に基づいて説明する。
【実施例１】
【００１８】
［農業用ハウスの概要］
実施例１の農業用ハウス１は、図１に示す様に、時計回りにＡ１−Ｂ１−Ｂ５−Ａ５−Ａ１にて区画される東棟２と、Ｂ１−Ｃ１−Ｃ５−Ｂ５−Ｂ１にて区画される中央棟３と、Ｃ２−Ｄ２−Ｄ５−Ｃ５−Ｃ２にて区画される西棟４とからなる三連棟型のビニールハウスである。東棟２は西側片天の天窓５ａを備え、中央棟３は両天の天窓５ｂ，５ｃ，５ｄ，５ｅを備え、西棟４は東側片天の天窓５ｆを備えている。なお、西棟４には、２通りＣ−Ｄ間にシャッター６、３通りＣ−Ｄ間に引き戸７、５通りＣ−Ｄ間に引き戸８、Ｄ通り２−３間に引き戸９が備えられている。
【００１９】
［天窓の概要]
本実施例においては、各天窓５ａ〜５ｆの幅はいずれも１５００ｍｍを採用している。長さについては、東棟３の天窓５ａは１８０００ｍｍ、中央棟３の天窓５ｂ，５ｃは９０００ｍｍ、中央棟３の天窓５ｄ，５ｅは４５００ｍｍ、西棟４の天窓５ｆは９０００ｍｍとしている。また、各棟２〜４の幅はそれぞれ８０００ｍｍ、長さは東棟２及び中央棟３を１８０００ｍｍ、西棟４を１３５００ｍｍとしている。構造体としてのメイン支柱ＭＰの間隔は、東西８０００ｍｍ、南北４５００ｍｍとしている。また、メイン支柱ＭＰの上端には、後述する谷樋ＴＴが軒桁を兼ねる構造部材として取り付けられている。
【００２０】
本実施例の農業用ハウス１は、図１，２に示す様に、複数対の合掌梁２１，２１によって屋根構造を構成している。各対の合掌梁２１，２１は、それぞれ上端に突き合わせ板２２，２２が溶接固定されている。合掌梁２１，２１は、それぞれの下端をメイン支柱ＭＰの上端部に取り付けると共に、突き合わせ板２２，２２同士をボルト締めにより固定することにより、合掌屋根を構成している。
【００２１】
図２（Ａ）に示す様に、片天の西棟４においては、谷樋ＴＴから突合板２２，２２の上端まで達する長いアーチパイプＡＰＬにフィルムを張って西の屋根面を構成し、谷樋ＴＴから天窓受け部材２５まで達する短いアーチパイプＡＰＳにフィルムを張って東の屋根面を構成している。これに対し、両天の中央棟３においては、谷樋ＴＴから天窓受け２５まで達する短いアーチパイプＡＰＳ，ＡＰＳにフィルムを張って東西の屋根面を構成している。
【００２２】
突き合わせ板２２，２２は、合掌梁２１，２１の上下左右に飛び出す面積を有し、上端部には、それぞれ天窓支持用の平板状のブラケット部材２３，２３が外に向かって突設する様に溶接固定されている。また、突き合わせ板２２，２２の下端部には、アングル材を介して上スペースの中央ピラーＵＣＰが垂直に固定されている。この中央ピラーＵＣＰの下端は、各メイン支柱ＭＰ，ＭＰ間に東西方向に渡された下方梁部材ＵＢ１に接合されている。また、中央ピラーＵＣＰの中程やや上側の位置にも合掌梁２１，２１間に東西方向に渡された上方梁部材ＵＢ２も固定されている。この上スペースには、遮光カーテンＣＴＮが設置され、下方梁部材ＵＢ１のメイン支柱ＭＰ近傍にカーテン巻き取り装置が設置されている。なお、突き合わせ板の西側面には上部中央桁部材ＵＣＧもボルト固定されている。
【００２３】
突き合わせ板２２，２２から外に向かって突設されたブラケット部材２３，２３には、図２（Ｂ），（Ｃ），図３に示す様に、上側から外嵌めする様に下向きコの字状の外嵌部材３１，３１がボルト軸を支点として回動可能となる様に取り付けられている。このボルト軸は、複数対の合掌梁２１，２１のそれぞれにおいて、水平方向の同一軸線上に位置する様に差し通されている。
【００２４】
ブラケット部材２３，２３に上方から外嵌めされる外嵌部材３１，３１の上面には、上向きコ字状の天窓受け部材３２，３２が溶接固定されている。そして、この天窓受け部材３２，３２に対して、天窓の回動支点側の上桟３３，３３が上方から嵌め込まれると共にボルト締めにて固定されている。
【００２５】
天窓５ａ〜５ｆは、図４（Ｂ）に示す様に、上桟３３と先端側の下桟３５とを合掌梁の位置ごとに接合する軒方向の横桟３４，３４，…（４５００ｍｍピッチ）とによって梯子状に組み付けられた外枠を備えている。なお、図示は省略したが、横桟３４，３４，…の中間位置（２２５０ｍｍピッチ）に、垂木材を組み付けている。そして、図３（Ａ），（Ｂ）に示す様に、桟部材３３〜３５の上面にはフィルム受けレールＣＵＰが、開口部を上向きにして取り付けられている。図示は省略したが、２２５０ｍｍピッチで取り付けた垂木材の上面にもフィルム受けレールＣＵＰが開口部を上向きにして取り付けられている。これらフィルム受けレールＣＵＰにより、天窓の上面側にフィルムＦＬＭを張り渡すことができる。
【００２６】
また、図４（Ｂ）に示す様に、合掌梁２１の上面にも天窓受け部材２６が取り付けられている。これにより、天窓は、各桟３３〜３５が天窓受け部材２５，２６によって下面を受けられた状態で閉じられる。
【００２７】
［谷樋の概要］
次ぎに、本実施例の農業用ハウス１において採用した谷樋ＴＴについて説明する。谷樋ＴＴは、アルミ合金製一体成形品で構成され、図５（Ａ）〜（Ｃ）に示す様に、底面部５１と、この底面部５１の両端から斜め約４５度方向に開く様に伸びる下方傾斜部５２，５２と、下方傾斜部５２，５２の上端から垂直上方に伸びる垂直部５３，５３と、垂直部５３，５３の上端から斜め約４５度方向に開く様に伸びる上端傾斜部５４，５４と、下方傾斜部５２，５２の内側を連結する内底部５５と、内底部５５と底面部５１とを連結する中央垂直部５６と、左右の垂直部５３，５３の内面側から水平に伸びる水平部５７，５７と、水平部５７，５７の先端に外向きに開口する様に形成さたフィルム受け部５８，５８とからなる左右対称の断面形状を有し、長さ方向にはメイン支柱ＭＰ，ＭＰ間に掛け渡すことのできる全長（４５００ｍｍ）を有している。なお、底面部５１の幅は、メイン支柱ＭＰの頂面の幅と同一にしている。
【００２８】
上端傾斜部５４，５４には、アーチパイプＡＰＳ，ＡＰＬの下端をボルト締めにて固定するためのボルト挿通孔が長さ方向所定位置に貫通されている。また、下方傾斜部５２，５２の長手方向両端部には、合掌梁２１，２１の取り付けに際してボルト等を挿通させるための合掌取り付け孔群７１，７１も形成されている。さらに、水平部５７，５７の長さ方向両端付近と長さ方向中央付近には、図５（Ｃ）に示す様に、水抜き孔５９が貫通されている。
【００２９】
フィルムＦＬＭは、図５（Ｃ）に示す様に、フィルム受け部５８に対して、外側から押し込んだ上で固定スプリングＳＰＲにて固定する。また、このフィルム受け部５８にはさらに外側からカバー部材ＣＡＰを嵌め込み、ビスＢＩＳでネジ止め固定される。このとき、ビスＢＩＳの先端はフィルム受け部５８の裏側に飛び出すが、当該部分は水平部５７及びフィルム受け部５８の裏側の目隠し空間６０となっている。
【００３０】
谷樋ＴＴの底部は、底面部５１、下方傾斜部５２，５２、内底部５５及び中央垂直部５６により、二つのボックス状空間とされている。このボックス状空間を備えることにより、谷樋ＴＴの曲げ強度が高められ、合掌梁とも接合されることにより、軒桁部材としての役割も果たさせている。
【００３１】
谷樋ＴＴは、フィルム受け部５８，５８を水平部５７，５７を介して垂直部５３，５３の内面に一体に備えているから、フィルム受けレールの取り付け等の作業が不要となる。水平部５７，５７を介して垂直部５３，５３とフィルム受け部５８，５８を一体の構造としたことは、谷樋ＴＴの強度向上にも寄与している。そして、水平部５７，５７に設けた水抜き孔５９が、「利便性向上や強度向上のために備えた水平部５７，５７に雨水が溜まる」という新たな問題に対する解決手段として効果を発揮する。
【００３２】
［実施例の作用・効果］
次ぎに、実施例の作用・効果を説明する。
【００３３】
（１）天窓の大型化
本実施例では、天窓５ａ〜５ｆの回動支点側を、合掌梁２１の上端接合部に備えさせた突き合わせ部材２２の上部から外側に向かって突設するブラケット部材２３で構成すると共に、天窓の桟３３〜３５を合掌梁２１に取り付けた天窓受け部材２５，２６で受け止める様に構成したから、天窓を大型化することが可能となった。
【００３４】
この結果、図６（Ａ）に示す様に、出願人の実験用圃場（立ち入り制限により秘密管理下にある区域）において、桟部材３３〜３５として７５ｍｍ×４５ｍｍ、板厚１．６ｍｍの鋼製角パイプを長い方の辺を横倒しにした形態で組み立てたものを用いることが可能となり、最も大きい天窓は、幅１５００ｍｍ、長さ１８０００ｍｍとすることが可能となった。なお、この例では、天窓受け部材２５，２６として、桟部材と同じく、７５ｍｍ×４５ｍｍ、板厚１．６ｍｍの鋼製角パイプを長い方の辺を横倒しにして取り付けている。
【００３５】
これにより、屋根上での作業の際に、天窓の桟部材の上に作業者が乗って作業をすることも可能となった。また、図６（Ａ）から分かる様に、天窓下の開口部にはアーチパイプが存在せず、採光性が大幅に向上している。なお、図６（Ａ）において符号ＮＥＴは、天窓の下桟３５及び両端の横桟３４と天窓受け部材２５，２６との間に装着した防虫ネットである。図６（Ａ）からは、この防虫ネットＮＥＴの部分にアーチパイプが存在せず、採光性が向上していることが明らかである。また、ブラケット部材２３を回動支持部とすることで天窓を大きく開くことが可能となり、開口の大きさに加えて開度の大きさによる換気効率の向上が可能となる。
【００３６】
（２）フィルム受け一体型谷樋による作業性の向上
図６（Ｂ）は、出願人の実験用圃場（立ち入り制限により秘密管理下にある区域）において実施例の谷樋ＴＴに対してフィルムを張った状態を示している。フィルム受け部５８が谷樋両側の垂直部５３，５３に備わっているから、屋根側のフィルムＦＬＭに加えて側壁側のフィルムＦＬＭ２の上端の固定にも谷樋ＴＴ用いることができる。この結果、ハウスの側壁上端様のフィルム受けレールを別途取り付けるといった作業が不要となる。また、目隠し空間６０により、ビスＢＩＳの先端が露出しないから、安全性が高まり、点検作業等における作業性も向上する。
【００３７】
（３）谷樋水平部の水抜き孔
実施例では、フィルム受け一体型とするために備えさせた水平部５７に水抜き孔５９を設け、「水平部に雨水が溜まる」という新たな問題をも解決している。
【００３８】
（４）天窓受け部材と谷樋による部品点数節減効果
合掌梁２１及びメイン支柱ＭＰに対して、接合した天窓受け部材２５及び谷樋ＴＴが、天窓受けや谷樋としての機能に加えて、農業用ハウス１における長手方向の構造強度メンバーとしても機能する。この結果、ハウスの構造強度を発揮させるための構成を簡素化することが可能となり、ハウス全体の部品点数の節減が可能となった。
【実施例２】
【００３９】
実施例２の農業用ハウスにおいては、図７に示す様に、下向きコ字状断面を呈し、合掌梁２１，２１の接合部の屋根傾斜に対応するハの字状に組み合わされる合掌梁接合金具８１，８１同士の間に挟み込まれる様に板状部材８２を取り付け、この板状部材８２の表面に、コの字の開放側を外向きとする様に取り付けらた断面コ字状の金具によって屋根側接合金具８３，８３を構成している。また、天窓側については、平板状の窓側接合金具８５を上桟３３の下面に取り付けてある。なお、この窓側接合金具８５は、上桟の長さ方向に４５００ｍｍ間隔で溶接固定されている。
【００４０】
そして、合掌梁接合金具８１，８１に対して合掌梁２１，２１を差し込む様にして取り付け、合掌梁２１，２１と合掌梁接合金具８１，８１とをそれぞれ複数本のボルトで締結する。
【００４１】
こうして合掌梁同士の上端部の接合ができたら、屋根側接合金具８３に対して窓側接合金具８５をコの字の中に挿入する様に差し込み、各１本のボルトで抜け止め固定する。このとき、ハウスの長さ方向に対し、４５００ｍｍ間隔で設置される合掌梁の上端接合部において、屋根側接合金具８３に形成したボルト挿通孔８４は全て水平方向の同一軸線上に位置する様に心出しされている。この心出しは、合掌接合金具８１，８１と板状部材８２とを一体にしたものを用いて合掌梁２１，２１の上端部を接合することにより、容易に達成される。この結果、ハウスの長さ方向の複数箇所においてボルトで連結しているにもかかわらず、これらボルトが同一軸線上に位置した状態となる。
【００４２】
（５）実施例２に特有の効果
合掌梁の上端の接合や屋根側接合金具の軸合わせが容易になり、天窓の開き方向への回動角度をより大きくすることができる。
【００４３】
（６）各実施例における総合的な効果
これらの作用・効果から、農業用ハウスの建設コストを低減することが可能となる。
【００４４】
以上、本発明の実施例を説明したが、本発明は実施例に限られるものではなく、その要旨を逸脱しない範囲内においてさらに種々の形態を採用することができることはもちろんである。
【００４５】
例えば、実施例１における様な合掌梁と一体としたり、実施例２における様に合掌梁接合金物と一体とせずに、合掌梁同士を接合する際に垂直上方に伸びる様に板状部材を挟み込む構成としてもよい。
【産業上の利用可能性】
【００４６】
農業用栽培設備に利用することができる。
【符号の説明】
【００４７】
１・・・農業用ハウス、２・・・東棟、３・・・中央棟、４・・・西棟、５ａ，５ｂ，５ｃ，５ｄ，５ｅ，５ｆ・・・天窓、６・・・シャッター、７，８，９・・・引き戸、
２１・・・合掌梁、２２・・・突き合わせ板、２３・・・ブラケット部材、２５，２６・・・天窓受け部材、３１・・・外嵌部材、３２・・・天窓受け部材、３３・・・上桟、３４・・・横桟、３５・・・下桟、５１・・・底面部、５２・・・下方傾斜部、５３・・・垂直部、５４・・・上端傾斜部、５５・・・内底部、５６・・・中央垂直部、５７・・・水平部、５８・・・フィルム受け部、５９・・・水抜き孔、６０・・・目隠し空間、７１・・・合掌取り付け孔群、８１・・・合掌梁接合金具、８２・・・板状部材、８３・・・屋根側接合金具、８４・・・ボルト挿通孔、８５・・・窓側接合金具、
ＡＰＬ・・・長いアーチパイプ、ＡＰＳ・・・短いアーチパイプ、ＢＩＳ・・・ビス、
ＣＡＰ・・・カバー部材、ＣＴＮ・・・遮光カーテン、ＣＵＰ・・・フィルム受けレール、ＦＬＭ，ＦＬＭ２・・・フィルム、ＭＰ・・・メイン支柱、ＮＥＴ・・・防虫ネット、ＳＰＲ・・・固定スプリング、ＴＴ・・・谷樋、ＵＢ１・・・下方梁部材、ＵＢ２・・・上方梁部材、ＵＣＧ・・・上部中央桁部材、ＵＣＰ・・・中央ピラー。
【図１】
2020137435.tif 000003
【図２】
2020137435.tif 000004
【図３】
2020137435.tif 000005
【図４】
2020137435.tif 000006
【図５】
2020137435.tif 000007
【図６】
2020137435.tif 000008
【図７】
2020137435.tif 000009